(57)【特許請求の範囲】
【請求項１】
熱源流体が流通する偏平チューブ（６）を多数本並列配置するとともに、この多数本の偏平チューブ（６）の間にコルゲートフィン（７）を接合することにより熱交換用コア部（３）が構成されており、
この熱交換用コア部（３）の一部の部位に電気発熱体（９）を設置する暖房用熱交換器において、
前記熱交換用コア部（３）のうち、前記電気発熱体（９）が設置される部位では、隣接するコルゲートフィン（７）の折り曲げ頂部に、それぞれ前記偏平チューブ（６）の長手方向に延びる保持板（１０、１１）を所定間隔を開けて接合し、
前記電気発熱体（９）は、正極側電極板（９ｂ）および負極側電極板（９ｃ）と、この両電極板（９ｂ、９ｃ）の間に配置された発熱体素子（９ａ）と、この両電極板（９ｂ、９ｃ）の周囲を全周にわたって被覆する電気絶縁材料からなる被覆部材（９ｄ）とを有し、
この被覆部材（９ｄ）は前記発熱体素子（９ａ）の熱を前記保持板（１０、１１）に伝導する熱伝導作用を果たすものであり、
この被覆部材（９ｄ）の表面が前記保持板（１０、１１）に圧接するようにして、前記２枚の保持板（１０、１１）の間に前記電気発熱体（９）を電気絶縁して組み付けたことを特徴とする暖房用熱交換器。
【請求項２】
前記偏平チューブ（６）、前記コルゲートフィン（７）および前記保持板（１０、１１）はアルミニュウムからなり、一体ろう付けされていることを特徴とする請求項１に記載の暖房用熱交換器。
【請求項３】
前記正極側電極板（９ｂ）および前記負極側電極板（９ｃ）に、それぞれ外部回路との電気接続用の端子部（９ｅ、９ｆ）が一体成形されていることを特徴とする請求項１または２に記載の暖房用熱交換器。
【請求項４】
前記端子部（９ｅ、９ｆ）は、前記正極側電極板（９ｂ）および前記負極側電極板（９ｃ）から前記熱交換用コア部（３）の厚さ方向に突出していることを特徴とする請求項３に記載の暖房用熱交換器。
【請求項５】
前記保持板（１０、１１）と前記電極板（９ｂ、９ｃ）との間に位置する前記被覆部材（９ｄ）の厚さ（ｔ１）を、前記発熱体素子（９ａ）の側方に位置する前記被覆部材（９ｄ）の厚さ（ｔ２）よりも小さくしたことを特徴とする請求項１ないし４のいずれか１つに記載の暖房用熱交換器。
【請求項６】
前記被覆部材（９ｄ）の厚さ（ｔ１）は２５μ〜１００μであり、
前記被覆部材（９ｄ）の厚さ（ｔ２）は１〜２ｍｍであることを特徴とする請求項５に記載の暖房用熱交換器。
【請求項７】
前記熱交換用コア部（３）に、前記電気発熱体（９）を前記２枚の保持板（１０、１１）の間で圧接保持するように締付け力を作用させる締結部材（１２、１３）を備えていることを特徴とする請求項１ないし６のいずれか１つに記載の暖房用熱交換器。
【請求項８】
熱源流体が流通する偏平チューブ（６）を多数本並列配置するとともに、この多数本の偏平チューブ（６）の間にコルゲートフィン（７）を接合することにより熱交換用コア部（３）が構成されており、
この熱交換用コア部（３）の一部の部位に電気発熱体（９）を設置する暖房用熱交換器の製造方法であって、
前記熱交換用コア部（３）の偏平チューブ（６）とコルゲートフィン（７）を交互に積層するとともに、前記熱交換用コア部（３）のうち、前記電気発熱体（９）が設置される部位では、隣接するコルゲートフィン（７）の折り曲げ頂部の間に、前記偏平チューブ（６）の長手方向に延びる２枚の保持板（１０、１１）を所定間隔を開けて配置するコア組付工程と、
前記熱交換用コア部（３）の偏平チューブ（６）およびコルゲートフィン（７）と前記保持板（１０、１１）とを一体ろう付けするろう付け工程と、
前記電気発熱体（９）を、予め、正極側電極板（９ｂ）および負極側電極板（９ｃ）と、この両電極板（９ｂ、９ｃ）の間に配置された発熱体素子（９ａ）と、この両電極板（９ｂ、９ｃ）の周囲を全周にわたって被覆するとともに前記発熱体素子（９ａ）の熱を前記保持板（１０、１１）に伝導する熱伝導作用を果たす電気絶縁材料からなる被覆部材（９ｄ）とにより構成しておき、
前記被覆部材（９ｄ）の表面が前記保持板（１０、１１）に圧接するようにして、前記２枚の保持板（１０、１１）の間に前記電気発熱体（９）を電気絶縁して組み付ける発熱体組付工程とを有することを特徴とする暖房用熱交換器の製造方法。
【発明の詳細な説明】
【０００１】
【発明の属する技術分野】
本発明は電気発熱体を一体化した暖房用熱交換器に関するもので、車両エンジン（内燃機関）にて加熱された温水（エンジン冷却水）を熱源として空気を加熱する車両暖房用熱交換器に用いて好適である。
【０００２】
【従来の技術】
従来、この種の電気発熱体を一体化した熱交換器は、特開平５−６９７３２号公報において提案されている。この従来装置によれば、温水（エンジン冷却水）を熱源として空気を加熱する暖房用熱交換器に電気発熱体を一体化することにより、エンジン始動直後のように温水温度が低いときには、電気発熱体への通電により、電気発熱体の発生熱を空気中に放熱して空気を加熱することができる。
【０００３】
【発明が解決しようとする課題】
ところで、上記公報記載の従来装置では、発熱体素子と電極板から構成される電気発熱体を暖房用熱交換器のコア部と一体ろう付けしているので、高温のろう付け温度（アルミニュウムのろう付けの場合、６００°Ｃ程度）の雰囲気に発熱体が晒されるので、発熱体の電気的特性か著しく損なわれるという不具合がある。
【０００４】
本発明は上記点に鑑みてなされたもので、電気発熱体の電気的特性を損なう恐れがなく、しかも、電気発熱体を暖房用熱交換器のコア部に容易に組付可能とすることを目的とする。
【０００５】
【課題を解決するための手段】
上記目的を達成するため、請求項１記載の発明では、熱源流体が流通する偏平チューブ（６）と、この偏平チューブ（６）の間に接合されたコルゲートフィン（７）とからなる熱交換用コア部（３）の一部の部位に電気発熱体（９）を設置する暖房用熱交換器において、
熱交換用コア部（３）のうち、電気発熱体（９）が設置される部位では、隣接するコルゲートフィン（７）の折り曲げ頂部に、それぞれ偏平チューブ（６）の長手方向に延びる保持板（１０、１１）を所定間隔を開けて接合し、
電気発熱体（９）は、正極側電極板（９ｂ）および負極側電極板（９ｃ）と、この両電極板（９ｂ、９ｃ）の間に配置された発熱体素子（９ａ）と、この両電極板（９ｂ、９ｃ）の周囲を全周にわたって被覆する電気絶縁材料からなる被覆部材（９ｄ）とを有し、
この被覆部材（９ｄ）は発熱体素子（９ａ）の熱を保持板（１０、１１）に伝導する熱伝導作用を果たすものであり、
この被覆部材（９ｄ）の表面が保持板（１０、１１）に圧接するようにして、２枚の保持板（１０、１１）の間に電気発熱体（９）を電気絶縁して組み付けたことを特徴としている。
【０００６】
これによると、コルゲートフィン（７）に予め保持板（１０、１１）を接合しておき、熱交換用コア部（３）の一体ろう付け終了後に２枚の保持板（１０、１１）の間に電気発熱体（９）を組み付けることができるので、熱交換用コア部（３）のろう付けによって電気発熱体の電気的特性を損なう恐れが全くない。
しかも、コルゲートフィン（７）が波形状を有する複雑な形状であっても、予め２枚の保持板（１０、１１）がコルゲートフィン（７）に接合してあるから、コルゲートフィン（７）の波形状をつぶすことなく、この２枚の保持板（１０、１１）の平板形状に沿って電気発熱体（９）の組付を容易に行うことができる。従って、電気発熱体（９）の組付容易化と、コルゲートフィン（７）の形状維持（伝熱性能の確保）とを良好に両立できる。
【０００７】
さらに、２枚の保持板（１０、１１）の間に電気発熱体（９）を電気絶縁して組み付けているから、電気発熱体（９）への通電時に熱交換用コア部（３）の金属部材（チューブ等）に電流を流すことなく、電気発熱体（９）に直接通電できる。その結果、熱交換用コア部（３）の金属部材が電食により腐食するのを防止でき、熱交換器の耐食性を確保できる。
これに加え、発熱体素子（９ａ）の両側に配置される正極側電極板（９ｂ）および負極側電極板（９ｃ）の周囲を全周にわたって電気絶縁材料からなる被覆部材（９ｄ）によって被覆しているから、電気発熱体（９）と２枚の保持板（１０、１１）との間を被覆部材（９ｄ）により確実に電気絶縁することができるとともに、被覆部材（９ｄ）により両電極板（９ｂ、９ｃ）および発熱体素子（９ａ）の保護を行うことができる。
【０００８】
また、請求項２記載の発明では、偏平チューブ（６）、コルゲートフィン（７）および保持板（１０、１１）をアルミニュウムで形成して、一体ろう付けしていることを特徴としている。従って、保持板（１０、１１）の接合を熱交換用コア部（３）の一体ろう付けと同時に簡単に行うことができる。
しかも、コルゲートフィン（７）の折り曲げ高さに多少の不揃いがあっても、コルゲートフィン（７）と保持板（１０、１１）とを予めろう付けしているので、ろう付け時に溶融ろう材が毛細管現象によりコルゲートフィン（７）の折り曲げ頂部と保持板（１０、１１）との隙間に浸透して隙間を埋めることができる。従って、コルゲートフィン（７）の各折り曲げ頂部を保持板（１０、１１）に確実に接合できるので、電気発熱体（９）の発生熱を保持板（１０、１１）からコルゲートフィン（７）に効率よく伝導できる。
【００１０】
また、請求項３記載の発明では、正極側電極板（９ｂ）および負極側電極板（９ｃ）に、それぞれ外部回路との電気接続用の端子部（９ｅ、９ｆ）を一体成形することを特徴としている。
【００１１】
従って、両電極板（９ｂ、９ｃ）に一体成形した端子部（９ｅ、９ｆ）により外部回路との電気接続を簡単に行うことができる。
また、請求項４記載の発明では、端子部（９ｅ、９ｆ）を、正極側電極板（９ｂ）および負極側電極板（９ｃ）から熱交換用コア部（３）の厚さ方向に突出させることを特徴としている。
【００１２】
これによれば、端子部（９ｅ、９ｆ）に対する外部回路の接続作業を熱交換用コア部（３）に妨げられることなく、容易に行うことができる。
また、請求項５記載の発明では、保持板（１０、１１）と電極板（９ｂ、９ｃ）との間に位置する被覆部材（９ｄ）の厚さ（ｔ１）を、発熱体素子（９ａ）の側方に位置する被覆部材（９ｄ）の厚さ（ｔ２）よりも小さくしたことを特徴としている。
これによれば、発熱体素子（９ａ）の側方に位置する被覆部材（９ｄ）の厚肉部分（厚さ（ｔ２）の部分）で発熱体素子（９ａ）の保護作用を確保しつつ、保持板（１０、１１）と電極板（９ｂ９ｃ）との間に位置する被覆部材（９ｄ）の薄肉部分（厚さ（ｔ１）の部分）で、保持板（１０、１１）への熱伝導作用を良好に果たすことができる。
請求項６記載の発明のように、請求項５における被覆部材（９ｄ）の厚さ（ｔ１）は具体的には２５μ〜１００μであり、これに対し、被覆部材（９ｄ）の厚さ（ｔ２）は具体的には１〜２ｍｍである。
また、請求項７記載の発明では、熱交換用コア部（３）に、電気発熱体（９）を２枚の保持板（１０、１１）の間で圧接保持するように締付け力を作用させる締結部材（１２、１３）を備えていることを特徴としている。
【００１３】
従って、締結部材（１２、１３）により電気発熱体（９）の保持固定を確実に行うことができる。
また、請求項８記載の発明は、暖房用熱交換器の製造方法に係るものであって、
熱交換用コア部（３）の偏平チューブ（６）とコルゲートフィン（７）を交互に積層するとともに、熱交換用コア部（３）のうち、電気発熱体（９）が設置される部位では、隣接するコルゲートフィン（７）の折り曲げ頂部の間に、偏平チューブ（６）の長手方向に延びる２枚の保持板（１０、１１）を所定間隔を開けて配置するコア組付工程と、
熱交換用コア部（３）の偏平チューブ（６）およびコルゲートフィン（７）と保持板（１０、１１）とを一体ろう付けするろう付け工程と、
電気発熱体（９）を、予め、正極側電極板（９ｂ）および負極側電極板（９ｃ）と、この両電極板（９ｂ、９ｃ）の間に配置された発熱体素子（９ａ）と、この両電極板（９ｂ、９ｃ）の周囲を全周にわたって被覆するとともに発熱体素子（９ａ）の熱を保持板（１０、１１）に伝導する熱伝導作用を果たす電気絶縁材料からなる被覆部材（９ｄ）とにより構成しておき、
被覆部材（９ｄ）の表面が保持板（１０、１１）に圧接するようにして、２枚の保持板（１０、１１）の間に電気発熱体（９）を電気絶縁して組み付ける発熱体組付工程とを有することを特徴としている。
【００１４】
これによれば、電気発熱体の電気的特性を損なうことなく、電気発熱体（９）の組付を容易に行うことができる。
なお、上記各手段の括弧内の符号は、後述する実施形態記載の具体的手段との対応関係を示すものである。
【００１５】
【発明の実施の形態】
以下、本発明の実施形態を図に基づいて説明する。
図１は本発明を適用した車両暖房用熱交換器の一実施形態を示すもので、図２は図１の要部を拡大して図示する破断斜視図であり、図１、２において、この熱交換器は、温水入口側タンク１と、温水出口側タンク２と、この両タンク１、２の間に設けられた熱交換用コア部３とを有している。
【００１６】
温水入口側タンク１には図示しない車両エンジンからの温水（エンジン冷却水）が流入する入口パイプ４が設けられ、温水出口側タンク２には温水を外部へ流出させ、エンジン側に還流させる出口パイプ５が設けられている。なお、本例の熱交換器は図１に示すように左右対称形であるので、温水入口側タンク１と温水出口側タンク２とを左右逆転してもよい。
【００１７】
各タンク１、２はそれぞれタンク本体部１ａ、２ａと、このタンク本体部１ａ、２ａの開口端面を閉じるシートメタル１ｂ、２ｂとからなり、図１、２の上下方向が長手方向となる周知のタンク構造である。そして、シートメタル１ｂ、２ｂには偏平状のチューブ挿入穴（図示せず）が多数個、図１、２の上下方向に１列または複数列並んで形成されている。
【００１８】
熱交換用コア部３は暖房用空気の流れ方向（図１の矢印Ａ方向）に対して平行な偏平状に形成された偏平チューブ６を多数個図１、２の上下方向に並列配置している。そして、この多数個の偏平チューブ６相互の間に波形状に成形されたコルゲートフィン（フィン部材）７を配置し接合している。このコルゲートフィン７には周知のごとく暖房用空気の流れ方向に対して所定角度で斜めに多数のルーバ（図示せず）が切り起こし成形されており、このルーバの成形によりフィン熱伝達率を向上させている。
【００１９】
偏平チューブ６の両端開口部はシートメタル１ｂ、２ｂのチューブ挿入穴内にそれぞれ挿通され、接合される。また、コア部３の最外側（図１の上下両端部）のコルゲートフィン７のさらに外側にはサイドプレート８ａ、８ｂが配設され、このサイドプレート８ａ、８ｂは最外側のコルゲートフィン７およびシートメタル１ｂ、２ｂに接合される。
【００２０】
さらに、熱交換用コア部３の一部の部位に、偏平チューブ６の代わりに、電気発熱体９を設置している。図１の例では、熱交換用コア部３の４箇所に電気発熱体９を等間隔で設置している。
そして、熱交換用コア部３のうち、電気発熱体９が設置される部位では、隣接するコルゲートフィン７の折り曲げ頂部に、それぞれ偏平チューブ６の長手方向に延びる平板状の金属製保持板１０、１１（図２参照）を所定間隔（Ｌ＝電気発熱体９の厚み）を開けて配置し接合し、この２枚の保持板１０、１１の間に電気発熱体９を組み付ける構造となっている。
【００２１】
ところで、本例における熱交換器では、上記各構成部品１〜８ｂのすべてがアルミニュウム（アルミニュウム合金も含む）にて成形されており、また、平板状の保持板１０、１１も同様にアルミニュウムにて成形されている。平板状の保持板１０、１１は板厚０．１〜０．５ｍｍ程度の金属薄板であり、また、平板状の保持板１０、１１の幅（暖房空気の流れ方向の幅）はコルゲートフィン７の幅と略同一であり、また、保持板１０、１１の長手方向の寸法（図１の左右方向の寸法）はシートメタル１ｂ、２ｂ間の寸法と略同一である。
【００２２】
電気発熱体９は図３に示す構造になっており、板状の発熱体素子９ａと、この発熱体素子９ａの表裏両面に配置され細長の平板状の電極板９ｂ、９ｃとからなる３層のサンドウイッチ構造になっている。そして、この電極板９ｂ、９ｃの周囲を全周にわたって電気的絶縁材料からなる被覆部材９ｄにより被覆している。ここで、発熱体素子９ａは所定の設定温度（例えば、９０°Ｃ付近）Ｔ0 にて抵抗値が急増する正の抵抗温度特性を有する抵抗体材料（例えば、チタン酸バリウム）からなるＰＴＣヒータ素子であり、その板厚は１．０〜２．０ｍｍ程度である。
【００２３】
発熱体素子９ａの両電極板９ｂ、９ｃはアルミニュウム、銅、ステンレス等の導電金属材から成形されており、その板厚は０．１〜０．５ｍｍ程度である。この両電極板９ｂ、９ｃの長手方向の寸法（図１の左右方向の寸法）は保持板１０、１１と略同一である。そして、この両電極板９ｂ、９ｃの長手方向において発熱体素子９ａは複数箇所（図３の例では４箇所）配置されている。発熱体素子９ａと両電極板９ｂ、９ｃは互いに圧接することにより、両者間の電気的導通を得る。
【００２４】
被覆部材９ｄが保持板１０、１１に圧接するようにして、電気発熱体９は２枚の保持板１０、１１の間に組み付けられる。ここで、被覆部材９ｄは保持板１０、１１と両電極板９ｂ、９ｃとの間の電気的な絶縁作用を果たすものであるが、発熱体素子９ａの熱を保持板１０、１１に伝導する役割を果たすため、保持板１０、１１と両電極板９ｂ、９ｃとの間の被覆部材９ｄの厚さｔ1 は２５μ〜１００μ程度の薄膜状にして、良好な熱伝導作用を確保している。
【００２５】
一方、発熱体素子９ａの側方における被覆部材９ｄの厚さｔ2 は１〜２ｍｍ程度に厚くして、発熱体素子９ａの保護を図るようにしてある。被覆部材９ｄの具体的材質としては、高耐熱性の樹脂（例えば、ポリイミド樹脂等）が好ましい。上記電極板９ｂは正極側電極板であり、また、上記電極板９ｃは負極側電極板であり、それぞれ外部回路との電気接続用の端子部９ｅ、９ｆが一体成形されている。この両端子部９ｅ、９ｆは本例では熱交換用コア部３の前方側（空気流れ方向Ａと反対方向）に突出している。また、正極側電極板９ｂの端子部９ｅは図１に示すように正極側電極板９ｂの右側端部に形成され、負極側電極板９ｃの端子部９ｆは負極側電極板９ｃの左側端部に形成されている。両端子部９ｅ、９ｆの突出方向は熱交換用コア部３の後方側（空気流れ方向Ａ）でもよく、要は熱交換用コア部３の厚さ方向であればよい。
【００２６】
なお、各電気発熱体９の電極板９ｂ、９ｃに一体成形された端子部９ｅ、９ｆには、図示しない外部制御回路が電気接続され、この外部制御回路を介して車載電源から各電気発熱体９に通電されるようになっている。
１２、１３はステンレスのような耐食性に優れた金属材料からなる締結部材であって、熱交換用コア部３の空気入口側の面および空気出口側の面の両方に配置される。締結部材１２、１３はその両端に折り曲げ形状からなる引掛け部を有しており、この引掛け部を上下のサイドプレート８ａ、８ｂの長手方向の中央部に形成された係止溝部８ｃ、８ｄに引掛けて、上下のサイドプレート８ａ、８ｂの間に装着する。この締結部材１２、１３の装着により、電気発熱体９を２枚の保持板１０、１１の間に圧接保持させる締付け力を熱交換用コア部３に対して作用させる。
【００２７】
次に、上記した暖房用熱交換器の製造方法を説明すると、まず、最初に図１に示す熱交換器構成を組み付けるコア組付工程を行う。すなわち、熱交換用コア部３のチューブ６とコルゲートフィン７を交互に積層するとともに、熱交換用コア部３のうち、電気発熱体９が設置される部位（図１の４箇所の斜線部）では、隣接するコルゲートフィン７の折り曲げ頂部の間に、チューブ６の長手方向に延びる２枚の保持板１０、１１を所定間隔を開けて配置する。この２枚の保持板１０、１１の所定間隔を保持するために、この２枚の保持板１０、１１の間に、この所定間隔の板厚を持ったダミー板（図示せず）を挿入する。
【００２８】
このダミー板は後述の一体ろう付けの工程に対する耐熱性を有し、かつアルミニュウムろう付けされない特性を持った材質（例えば、カーボン等）で形成しておく。この組付工程で、タンク１、２、パイプ４、５、およびサイドプレート８ａ、８ｂも組み付けることはもちろんである。
次に、上記のごとくして、組み付けた熱交換器組付体の組付状態を図示しない適宜の治具により保持して、ろう付け炉内に搬入し、ろう付け工程を行う。すなわち、ろう付け炉内で熱交換器組付体をろう付け温度（６００°Ｃ程度）に加熱して、熱交換器各部材のクラッド材のろう材を溶融し、熱交換器組付体の各部材間を一体ろう付けする。
【００２９】
ろう付け終了後に、熱交換器組付体をろう付け炉から搬出し、常温まで熱交換器組付体の温度が低下した後に、電気発熱体９の組付工程を行う。すなわち、電気発熱体９はそれ単独で、熱交換器組付体とは別に、板状の発熱体素子９ａの表裏両面を平板状の電極板９ｂ、９ｃにより挟み込んで３層のサンドウイッチ構造とし、電極板９ｂ、９ｃの周囲を全周にわたって被覆部材９ｄにより被覆しておく。
【００３０】
そして、熱交換器組付体の熱交換用コア部３における４箇所の２枚の保持板１０、１１の間に挿入されているダミー板を取り出し、２枚の保持板１０、１１の間に形成される所定間隔の空間に、被覆部材９ｄが保持板１０、１１に圧接するようにして、電気発熱体９を２枚の保持板１０、１１の間に組み付ける。この組付の後に、締結部材１２、１３の両端の引掛け部を上下のサイドプレート８ａ、８ｂの係止溝部８ｃ、８ｄに引掛けて、上下のサイドプレート８ａ、８ｂの間に締結部材１２、１３を熱交換用コア部３が圧縮されるように装着する。
【００３１】
これにより、電気発熱体（９）を２枚の保持板（１０、１１）の間に圧接保持させる締付け力を熱交換用コア部（３）に対して作用させ、電気発熱体９を２枚の保持板１０、１１の間に確実に保持固定する。
次に、上記構成において作動を説明する。車室の暖房を行うときには、図示しない空調用送風機が作動して、暖房用熱交換器のコア部３の偏平チューブ６とコルゲートフィン７との間の空隙部に矢印Ａのように暖房用空気が通過する。一方、車両用エンジンのウォータポンプ（図示せず）の作動によりエンジンからの温水（熱源流体）が入口パイプ４より温水入口側タンク１内に流入する。
【００３２】
そして、温水は、入口側タンク１にて多数本の偏平チューブ６に分配され、この偏平チューブ６を並列に流れる間にコルゲートフィン７を介して暖房用空気に放熱する。多数本の偏平チューブ６を通過した温水は、温水出口側タンク２に流入し、ここで集合され、出口パイプ５から温水は熱交換器外部へ流出し、エンジン側に還流する。
【００３３】
一方、暖房時において、エンジンからの温水の温度が設定温度（例えば、８０°Ｃ）より低いときは、外部制御回路から両電極板９ｂ、９ｃの端子部９ｅ、９ｆ間に車載電源から電圧を加える。これにより、発熱体素子９ａが通電され発熱する。発熱体素子９ａの発熱は電極板９ｂ、９ｃ、被覆部材９ｄ、保持板１０、１１を経て、両側のコルゲートフィン７に伝導されて、このコルゲートフィン７から暖房用空気に放熱される。従って、温水の低温時でも暖房空気を速やかに加熱して即効暖房を行うことができる。
【００３４】
なお、電気発熱体９の発熱体素子９ａは所定の設定温度Ｔ0 にて抵抗値が急増する正の抵抗温度特性を有するＰＴＣ素子であるから、周知のごとく、その発熱温度を設定温度Ｔ0 に自己制御する自己温度制御機能を備えている。
ところで、波形状を有する複雑な形状からなるコルゲートフィン７に、予め保持板１０、１１を接合しておき、この保持板１０、１１の平板形状に沿って電気発熱体９の組付を行うから、電気発熱体９の組付時にコルゲートフィン７の波形状をつぶすことがない。従って、電気発熱体９をコルゲートフィン７の間に配置する構成であっても、コルゲートフィン７の波形状を維持し伝熱性能を確保できる。
【００３５】
また、コルゲートフィン７に対して電気発熱体９を直接接合する場合には、コルゲートフィン７の折り曲げ高さに不揃いがあると、図４のａ部、ｂ部に示すように、コルゲートフィン７の折り曲げ頂部と電気発熱体９との間に隙間が発生して、電気発熱体９の熱を効率よくコルゲートフィン７に伝導できない場合が生じる。これに反し、本実施形態によれば、コルゲートフィン７と保持板１０、１１とを予めろう付けしているので、コルゲートフィン７の折り曲げ高さに多少の不揃いがあっても、ろう付け時に溶融ろう材が毛細管現象によりコルゲートフィン７の折り曲げ頂部と保持板１０、１１との隙間に浸透して、この隙間を埋めることができる。そのため、コルゲートフィン７の各折り曲げ頂部を保持板１０、１１に確実に接合でき、電気発熱体９の発生熱を保持板１０、１１からコルゲートフィン７に効率よく伝導できる。
【００３６】
（他の実施形態）
なお、上記の実施形態では、車両暖房用熱交換器について説明したが、本発明は車両用に限定されることなく、種々な用途の暖房用熱交換器に広く適用可能である。
また、電気発熱体９の設置形態を図１の形態に限らず、暖房用熱交換器の仕様の変化に対応して種々変更し得ることはもちろんである。
【００３７】
また、電気発熱体９の被覆部材９ｄとして接着材系の樹脂を用いて、電気発熱体９を保持板１０、１１に接着固定することもできる。この場合は締結部材１２、１３を廃止することができる。
【図面の簡単な説明】
【図１】本発明を適用する暖房用熱交換器の斜視図である。
【図２】本発明の一実施形態を示す電気発熱体設置部の拡大斜視図である。
【図３】（ａ）は本発明の一実施形態の電気発熱体の一部破断斜視図、（ｂ）は同電気発熱体の横断面図、（ｃ）は同電気発熱体の縦断面図、（ｄ）は同電気発熱体の平面図である。
【図４】本発明の比較例を示す電気発熱体設置部の拡大図である。
【符号の説明】
１、２…タンク、３…熱交換用コア部、６…偏平チューブ、
７…コルゲートフィン、９…電気発熱体、９ａ…発熱体素子、
９ｂ、９ｃ…電極板、９ｄ…被覆部材、９ｅ、９ｆ…端子部、
１０、１１…保持板、１２、１３…締結部材。
【図１】
0003812045.tif 000002
【図２】
0003812045.tif 000003
【図３】
0003812045.tif 000004
【図４】
0003812045.tif 000005